(57)【特許請求の範囲】
【請求項１】
左扉体（１）の連結框（１４）と、隣り合う右扉体（２）の連結框（２４）に連結材（５）を跨がって嵌挿し、両扉体（１，２）の下框（１２，２２）にサッシ下枠材（Ｆ２）のレール（ｆ２）に密接する防水片（Ｔ１，Ｔ２）を嵌挿した折畳み自在となる折戸式サッシにおいて、下枠材（Ｆ２）より脱衣室側に突出する踏板壁（２ｃ）に、柔軟性に富む堰片（Ｐ）を突出するように設け、連結框（１４，２４）の一方の下部に雌ブロック（６）を、他方の下部に雄ブロック（７）を取付け、両ブロック（６，７）に下框（１２，２２）の防水片（Ｔ１，Ｔ２）に連続する防水片（Ｔ３，Ｔ４）を嵌挿し、該防水片（Ｔ３，Ｔ４）の変形を両ブロック（６，７）に設けた押圧片（６６，７６）にて防止する折戸式サッシ。
【請求項２】
下枠材（Ｆ２）の踏板壁（２ｃ）より突設する堰片（Ｐ）をサッシ枠（Ｆ）の有効開口幅（Ｌ）内に設け、雌ブロック（６）の押圧片（６６）を基板（６１）の先端より後退位置から形成し、その先に呑込部（６７）を形成する一方、雄ブロック（７）の押圧片（７６）を雌ブロック（６）の呑込部（６７）に食込むように設けた請求項１記載の折戸式サッシ。
【発明の詳細な説明】
【０００１】
【発明の属する技術分野】
この発明は、主に脱衣室と浴室の出入口に取付ける折戸式サッシに関する。
【０００２】
【従来の技術】
脱衣室と浴室の出入口に取付ける浴室サッシとして、内障子と外障子を引違いに嵌挿する浴室サッシと、障子を片引き式に嵌挿する浴室サッシ、及び折畳み式の折戸を取付ける折戸式浴室サッシが知られている。
浴室サッシは、湯水を使用する浴室の出入口に取付ける関係上、下枠材の内側壁をレール支持壁より数ｃｍ高くし、その内側壁上端より脱衣室側に踏板壁を突出し、支持壁にレールを突出するものである。
（例えば実開平２−４０８９４号公報）
【０００３】
【発明が解決しようとする課題】
下枠材の内側壁より脱衣室側に突出する踏板壁と、下枠レールとの段差が大きい程、浴室より脱衣室に湯水が溢れ出ることはないが、段差が大きいと、車椅子による出入りが非常に困難な問題点があった。反対に、踏板壁とレールの段差を少なくすると、車椅子の出入りは可能になるが、浴槽より浴室に多量の湯が溢れ出た場合、溢れ出た湯の一部が下枠材を乗越えた脱衣室まで浸水し、脱衣室を濡らす問題点があった。
【０００４】
下枠材の踏板壁とレールの段差を少なくし、障子や折戸の下框に、下枠レールに密接する防水片を嵌挿することも試みられているが、長期間に渡り使用していると、防水片が変形し水密機能を失う問題点もあった。
そこで本発明は、従来技術の有するこのような問題点に鑑みてなされたものであり、その目的とするところは、折畳戸の連結部における防水効果を高めた折戸式サッシを提供することにある。
【０００５】
【課題を解決するための手段】
上記目的を達成するために、本発明による折戸式サッシは、隣り合う扉体の連結框に連結材を跨がって嵌挿し、両扉体の下框に、下枠材のレールに密接する防水片を嵌挿した折畳み自在となる折戸式サッシにおいて、サッシ下枠材より脱衣室側に突出する踏板壁に、柔軟性に富む堰片を突設し、連結框の一方の下部に雌ブロックを、他方の下部に雄ブロックを取付け、両ブロックに下に防水片を嵌挿し、両ブロックに相互に噛合う押圧片を形成するものである。
【０００６】
下枠材の踏板壁より突出する堰片がサッシ枠の有効開口幅内に設けられ、両扉体の下框に防水片を嵌挿する共に、連結材に取付ける雌雄ブロックにも防水片を嵌挿するので、堰片と防水片によって浴室から脱衣室への浸水が防止される。
しかも雌ブロックの押圧片を基板の先端より後退位置から設け、押圧片の先に呑込部を形成し、雄ブロックの押圧片を雌ブロックの呑込部に食込むように突設するので、それによって両ブロックに嵌挿する防水片の変形が防止される。
【０００７】
【発明の実施の形態】
先ず本発明による折戸式サッシの実施形態を図１乃至図４に基づいて説明すれば、図面はサッシ枠Ｆに扉体１，２を左右に連結した二枚折戸を取付けるものであるが、二枚以上の扉体１，２を折畳み可能に連結することも可能である。
二枚折戸において、左扉体１と右扉体２の隣り合うの連結框１４，２４に跨がって連結材５を嵌挿し、左扉体１の竪框１３を回動自在と成す一方、右扉体２の竪框２３を上下枠材Ｆ１，Ｆ２のレールｆ１，ｆ２に沿って走行可能にし、連結框１４の下に雌ブロック６を、連結框２４の下に雄ブロック７を取付けるものである。
【０００８】
【実施例】
サッシ枠Ｆは上枠材Ｆ１と下枠材Ｆ２、及び左右縦枠材Ｆ３，Ｆ４より構成するもので、各枠材Ｆ１，Ｆ２，Ｆ３，Ｆ４は軽金属材より夫々押出し成形するものである。
サッシ上枠材Ｆ１は図１の如く、内側壁１ｂの内周端部にタイト材Ｓを浴室向きに嵌挿し、内側壁１ｂの外周部に横壁１ａを設け、該横壁１ａに内側壁１ｂの内周端より短くレールｆ１を垂下している。
【０００９】
下枠材Ｆ２は内側壁２ｂの上端より脱衣室側に踏板壁２ｃを突出し、中間高さより浴室に向けてレール支持壁２ａを突出し、内側壁２ｂの下端より浴室側に支持壁２ａと平行する下壁２ｄを設け、支持壁２ａにレールｆ２を、踏板壁２ｃの浴室寄りに上向袋溝２ｅを設けるもので、下枠レールｆ２を踏板壁２ｃと同高さに突出し、下枠レールｆ２に平行する袋溝２ｅに堰片Ｐを嵌着する。
レール支持壁２ａのレールｆ２より浴室側と脱衣室側に、排水孔２ｆ，２ｇを適宜穿設することも可能である。
【００１０】
左縦枠材Ｆ３は図２の如く、側壁３ａより内周向きに内側壁３ｂを突設し、該内側壁３ｂより浴室向きにタイト材Ｓを嵌挿し、側壁３ａの浴室側に内周向袋溝３ｃを設け、該袋溝３ｃに気密片Ｋを嵌挿している。
右縦枠材Ｆ４は上記左縦枠材Ｆ３と対称形状を成すので、説明を省略する。
縦枠材Ｆ３，Ｆ４の袋溝３ｃ，４ｃに嵌挿する気密片Ｋは、中空部を有する状態で内周向きに膨出し、柔軟性に富むゴムや合成樹脂より形成すさている。
【００１１】
折戸を構成する左扉体１は、上框１１と下框１２、堅框１３、及び連結框１４より構成する扉枠１０、又は上框１１と平行に中框１５を設けた扉枠１０にガラスや化粧板等の遮蔽板Ｇを嵌挿するものである。
右扉体２は上記左扉体１と左右対称構造を成すもので、上下框２２，２２と堅框２３、及び連結框２４より構成する扉枠２０、又は中框２５を設けた扉枠２０にに遮蔽板Ｇを嵌挿するものである。
両扉枠１０，２０の少なくとも一方の浴室側に持手１９を取付ける。
【００１２】
扉体１，２を構成する上框１１，２１と下框１２，２２は図３の如く、内周側に遮蔽板Ｇの嵌合溝１６，２６を形成している。
下框１２，２２は外周に下向袋溝１７，２７を扉体１，２の幅方向に平行して形成し、各袋溝１７，２７に下枠レールｆ２の浴室側に密接する防水片Ｔ１，Ｔ２を嵌挿している。該下框１２，２２に室内外に連通する通気口１８，２８を設けることが望ましい。
【００１３】
左扉体堅框１３と右扉体堅框２３の上下部に、図４の如く上枠レールｆ１と下枠レールｆ２に嵌挿する支軸具Ｅを夫々取付ける。
支軸具Ｅの一方に、レールｆ１，ｆ２に沿って滑走する案内溝ｅ１を、他方にレールｆ１，ｆ２に嵌挿係止する凹部ｅ２を設け、説明の便宜上、係止式の支軸具Ｅを左扉体堅框１３に、滑走式の支軸具Ｅを右扉体堅框２３に取付けた場合、左扉体１は堅框１３を中心にして旋回可能となり、右扉体２の堅框２３はレールｆ１，ｆ２に沿って滑走可能となる。
【００１４】
左扉体１の連結框１４は図５（Ｂ）の如く、中空部３０より内周向きに嵌合溝４６を開口し、中空部３０より外周側に連結部３を形成するもので、連結部３は内側壁３１の先端より連結框１４の幅中央部に向けて約４５度の角度で傾斜する軸部３３と、外側壁３２の先部より軸部３４に向けて湾曲する円弧壁４４から形成されている。
左扉体１の堅框１３は内周側に遮蔽板Ｇの嵌合溝３６を形成している。
【００１５】
右扉体２の連結框２４は図５（Ａ）の如く、中空部４０の内周側に嵌合溝４６を、外周側に連結部４を形成し、前記左扉体１の連結框１４と左右対称形状を成すもので、連結部４は内側壁４１の先端より連結框２４の幅中央部に向けて約４５度の角度で傾斜する軸部４３と、外側壁４２の先部より軸部４３に向けて湾曲する円弧壁４４から形成されている。
右扉体２の堅框２３は内周側に遮蔽板Ｇの嵌合溝４６を形成している。
【００１６】
連結材５は図５（Ｃ）（Ｄ）の如く、内側壁５ａの中間部に隣接して設ける軸承部５１，５２と、該軸承部５１，５２を中心とする半円弧の案内部５３，５４から成り、両軸承部５１，５２が脱衣室に向けて開口するもので、案内部５３，５４を内側壁５ａの左右端に連続し、案内部５３，５４と軸承部５１，５２の中間部に仕切壁５５を設け、仕切壁５５を中心にして軸承部５１，５２と案内部５３，５４が左右対称を成す。
【００１７】
連結材５を扉体高さＨより数ｃｍ短くし、その軸承部５１に左扉体連結框１４の軸部４３を、また軸承部５２に右扉体連結框２４の軸部４３を嵌挿し、両連結框１４，２４の軸部３３，４３を利用して扉体１，２の上に連結ブロック（図示せず）を夫々取付ける一方、図４と図９の如く軸部３３を利用して連結框１４の下に雌ブロック６を取付けると共に、軸部４３を利用して連結框２４の下に雄ブロック７を取付け、連結材５の軸承部５１，５２を中心にして左右の扉体１，２が折畳み自在に回動するものである。
【００１８】
連結框１４の下に取付ける雌ブロック６は図６と図７の如く、基板６１の上部に連結框１４の中空部３０に挿入係止する係止部７２と、連結部３に挿入し連結材５の軸承部５１にビス止めする固定部７３を設け、基板６１の下部に扉体下框１２の下向袋溝１７に連続する袋溝６４と、その浴室側に押圧片６６を設け、係止部７２に排水穴６５を穿設するもので、押圧片６６を基板６１の先端より数ｍｍ以内の後退位置から設け、押圧片６６の先に呑込部６７を形成し、袋溝６４に防水片Ｔ３を嵌挿する。
【００１９】
連結框２４の下に取付ける雄ブロック７は図８の如く、前記雌ブロック６と略同様の形状をなし、袋溝７４に防水片Ｔ４を嵌挿するもので、異なる点は、袋溝７４の浴室側に設ける押圧片７６を、基板７１の先端より数ｍｍ突出する状態に形成する点にある。
雄ブロック７に嵌挿する防水片Ｔ４は、扉体下框２２の防水片Ｔ２と連続するように嵌挿し、雌ブロック６に嵌挿する防水片Ｔ３は、扉体下框１２の防水片Ｔ１は連続するように嵌挿している。
【００２０】
下框１２，２２の下向袋溝１７，２７に嵌挿する防水片Ｔ１，Ｔ２と、雌雄ブロック６，７の下向袋溝６４，７４に嵌挿する防水片Ｔ３，Ｔ３は、柔軟性に富むゴム、又は合成樹脂にて形成した防水片Ｔより切取って嵌挿するものである。防水片Ｔは図３（Ｄ）の如く、袋溝１７に嵌挿する基部ｔ１と、該基部ｔ１より浴室に向けて突出する下向き鉤状片ｔ２から形成され、鉤状片ｔ２が２ｃｍ以内で垂下するものである。
【００２１】
左扉体１と右扉体２が図９の如く一直線に連続する閉鎖状態において、雄ブロック７の押圧片７６の先部が雌ブロック６の呑込部６７に食込み、両扉体１，２の下部に設けた防水片Ｔ１，Ｔ２と、両扉体連結框１４，２４の下部に取付けた雌雄ブロック６，７の防水片Ｔ３，Ｔ４が、図１０の如くサッシ下枠材Ｆ２のレールｆ２に夫々密接する。
雌雄ブロック６，７の押圧片６６，７６は下枠レールｆ２の浴室側に係止する程度に垂下しているので、両扉体１，２の連結框１４，２４が下枠レールｆ２より脱衣室側に食込むことはない。
【００２２】
堰片Ｐは図１１の如く、下枠材踏板壁２ｃの上向袋溝２ｅに嵌挿する基部ｐ１より上方に起立片ｐ２を３ｃｍ以内の高さで突出し、該起立片ｐ２の先端部より浴室側に密接片ｐ３を突出するか、基部ｐ１の上に踏板壁２ｃの表面に圧接する押圧片ｐ４を設け、該押圧片ｐ４から起立片ｐ２を突設し、柔軟性に富むゴム、又は合成樹脂にて形成するもので、車椅子の通行にて容易に倒伏屈曲し得る。
この堰片Ｐはサッシ枠Ｆの有効開口幅Ｌ内に突設するものである。また密接片ｐ３に切込みや切欠部を設けると、更に柔軟性が向上する。
【００２３】
図１２の下枠材Ｆ２は、支持壁２ａと下壁２ｄの間の中間部に支持ブロック９を嵌挿するものである。
この支持ブロック９は図１３の如く、下向きに開口している箱体９１の天板９２に、レール支持壁２ａの脱衣室側排水孔２ｇに係止する切起片９３を有するもので、片持支持の支持壁２ａを下から支持する。
【００２４】
扉枠１０，２０の何れかに、図１４と図１５の如く緊急時に脱衣室から離脱し得る非常脱出体８を嵌挿することが望ましい。
扉枠１０に非常脱出体８を嵌挿する場合、扉枠１０の嵌合溝溝深さを、上下及び左右で異なるようにし、例えば上框嵌合溝１６を下框嵌合溝２６より深く形成し、非常脱出体８の上下やり繰り嵌合を可能にするか、堅框嵌合溝３６を連結框嵌合溝４６より深く形成し、非常脱出体８の左右やり繰り嵌合を可能にする。
【００２５】
非常脱出体８は、上桟８１と下桟８２、及び左右竪桟８３より構成する額枠８０の内部に遮蔽板Ｇを嵌挿するもので、額枠８０の脱衣室側に持手８４を突設している。この非常脱出体８は、扉枠１０の上下内部または左右内部の何れかに弾力体Ｄを嵌挿し、該弾力体Ｄを介して離脱不能に保持するもので、緊急時に脱出体８を弾力体Ｄに向けて押圧し、その脱出体８によって弾力体Ｄを圧縮し、脱出体８を偏らせて扉枠１０より離脱するものである。
【００２６】
左扉体１の堅框１３は常に縦枠材Ｆ３の気密片Ｋに接し、右扉体２の堅框２３は閉鎖時にのみ縦枠材Ｆ４の気密片Ｋに接する。
扉枠１０，２０と額枠８０の構成材、及び連結材５は、軽金属材より夫々押出し成形するものである。
雌ブロック６と雄ブロック７、及び支持ブロック９は、合成樹脂にて形成するものである。
【００２７】
【発明の効果】
本発明による折戸式サッシは上記構造のとおりであるから、次に記載する効果を奏する。
サッシ下枠材の踏板壁とレールの段差を無くし、代わりに踏板壁の浴室側に堰片を突設すると共に、左右扉体の下に下枠レールに密接する防水片を夫々垂設しているので、例え浴槽より浴室に多量の湯が溢れ出て、その湯が下枠材に浸水しても、防水片と堰片にて確実に塞き止めることができる。その結果、浴室から脱衣室に湯水が浸水し、脱衣室を濡らすことがない。
【００２８】
下枠材の踏板壁とレールの段差が無く、しかも下枠材の踏板壁より突出する堰片が柔軟性に富むので、車椅子のまま自由に出入りし得る。
また左右扉体の下に垂設する防水片は、両扉体の下框と、扉体連結框の下部に取付ける雌雄ブロックに嵌挿されているが、連続状態に嵌挿し、しかも両ブロックに嵌挿する防水片が、両ブロックの押圧片にて変形防止されるので、長期間に渡り使用しても水密機能を失うことがない。
【００２９】
更に本発明の折戸式サッシは勝手口にも利用し得るばかりか、体裁も良好で安価に提供できる等、顕著な効果を発揮するものである。
【図面の簡単な説明】
【図１】（Ａ）（Ｂ）
本発明による折戸式サッシの使用状態とサッシ枠の縦断面図である。
【図２】（Ａ）（Ｂ）
折戸式サッシとサッシ枠の構造例を示す横断面図である。
【図３】（Ａ）（Ｂ）（Ｃ）（Ｄ）
扉枠の構造例を示す縦断面図、防水片の正面図とその嵌挿例を示す要部縦断面図である。
【図４】支軸具と防水ブロックの取付例を示す折戸の要部正面図である。
【図５】（Ａ）（Ｂ）（Ｃ）（Ｄ）
扉枠と連結材の横断面図、及びその連結状態を示す要部横断面図である。
【図６】（Ａ）（Ｂ）（Ｃ）（Ｄ）（Ｅ）
雌ブロックの正面図と平面図、底面図、左右側面図である。
【図７】（Ａ）（Ｂ）
図６（Ｂ）のＸ１−Ｘ１断面図とＸ２−Ｘ２断面図である。
【図８】（Ａ）（Ｂ）（Ｃ）（Ｄ）
雄ブロックの平面図と底面図、及び正面図と背面図である。
【図９】（Ａ）（Ｂ）
折戸の開閉時における防水ブロックの状態を示す要部底面図である。
【図１０】（Ａ）（Ｂ）
下枠レールと防水片の開閉関係を示す要部縦断面図である。
【図１１】（Ａ）（Ｂ）（Ｃ）
堰片の形状例を示す正面図と、車椅子通過時の要部縦断面図である。
【図１２】（Ａ）（Ｂ）
支持ブロックの断面図と、その使用例を示す要部縦断面図である。
【図１３】（Ａ）（Ｂ）
支持ブロックの正面図と底面図である。
【図１４】非常脱出体の嵌挿例を示す横断面図である。
【図１５】（Ａ）（Ｂ）（Ｃ）
非常脱出体の横断面図と縦断面図、及びその嵌挿例を示す縦断面図である。
【符号の説明】
Ｆ  サッシ枠、Ｆ１  上枠材、Ｆ２  下枠材、Ｆ３，Ｆ４  縦枠材
ｆ１，ｆ２  レール、２ａ  レール支持壁、２ｂ  内側壁、２ｃ  踏板壁
１，２  扉体
１０，２０  扉枠、１１，２１  上框、１２，２２  下框
１３，２３  堅框、１４，２４  連結框、１５，２５  中框
１７，２７  下向袋溝、１９，８４  持手
１６，２６，３６，４６  嵌合溝
３，４  連結部
３３，４３  軸部、３４，４４  円弧壁
５  連結材
５１，５２  軸承部、５３，５４  案内部
６  雌ブロック
７  雄ブロック
６６，７６  押圧片、６７  呑込部
８  非常脱出体
９  支持ブロック
Ｅ  支軸具、Ｇ  遮蔽板、Ｄ  弾力体
Ｋ  気密片、Ｐ  堰片、Ｓ  タイト材
Ｔ，Ｔ１，Ｔ２，Ｔ３，Ｔ４  防水片
Ｈ  扉体高さ、Ｌ  有効開口幅
【図１】
0003579181.tif 000002
【図２】
0003579181.tif 000003
【図３】
0003579181.tif 000004
【図４】
0003579181.tif 000005
【図５】
0003579181.tif 000006
【図６】
0003579181.tif 000007
【図７】
0003579181.tif 000008
【図８】
0003579181.tif 000009
【図９】
0003579181.tif 000010
【図１０】
0003579181.tif 000011
【図１１】
0003579181.tif 000012
【図１２】
0003579181.tif 000013
【図１３】
0003579181.tif 000014
【図１４】
0003579181.tif 000015
【図１５】
0003579181.tif 000016